(57)【要約】【課題】  ベルト式の家具転倒防止具において当該家具転倒防止具の壁側の固定金具を縦桟及び横桟のどちらにも取り付けることができ、更にはベルトを緩めたり増し締めすることが容易にできる、家具転倒防止具を得る。【解決手段】  ベルトの両端部に具備した固定金具において、壁側の固定金具に縦桟用として縦方向に固定穴を２個以上穿孔し、横桟用として横方向に固定穴を２個以上穿孔する。また、該固定金具の縦方向端部に形成した保持筒にフランスカンを蝶着し、該フランスカンの縦枠に挿着されたローレット軸にベルトを巻き通すことにより家具側の固定金具と壁側の固定金具を当該ベルトにより張設する。【選択図】        図１
0003105435.tif 000002
【実用新案登録請求の範囲】
【請求項１】
ベルト（６）の両端部に具備した固定金具（１，７）において、壁側の固定金具（１）に縦桟用として縦方向に固定穴（２ａ）を２個以上穿孔し、横桟用として横方向に固定穴（２ｂ）を２個以上穿孔し、
該固定金具（１）の縦方向端部に形成した保持筒（３）にフランスカン（４）を蝶着し、該フランスカン（４）の縦枠に挿着されたローレット軸（５）にベルト（６）を巻き通すことにより家具側の固定金具（７）と壁側の固定金具（１）を当該ベルト（６）により張設することを特徴とする、家具転倒防止具。
【考案の詳細な説明】
【技術分野】
【０００１】  本考案は、地震発生時等においてタンスや食器棚等の家具が壁より転倒するのを防止するための、家具転倒防止具に関するものである。
【背景技術】
【０００２】  従来、地震発生時等においてタンスや食器棚等の家具が壁より転倒するのを防止するための転倒防止具として、Ｌ字型金具により家具の天板後端部と壁をネジで固定するものや、ベルトの両端部に固定金具を具備した家具転倒防止具により家具の天板前部と壁にベルトを張設して固定するものなどがある。【０００３】  また、近年の住宅（戸建及び集合住宅）やオフィス等においては、壁に桟が無いＳＩ壁やＧＬ壁といった防露壁を使用していることが多い。このため、該防露壁には直接家具転倒防止具を取り付けられないことより、取り付け時において壁に横木を横設したり、天井と壁との境にある回りぶちを利用して家具転倒防止具を取り付けていた。
【考案の開示】
【考案が解決しようとする課題】
【０００４】  しかしながら、上記従来方法においてＬ字型金具は当然のことながら、ベルト式の家具転倒防止具の固定金具においては、固定穴が縦方向に穿孔された縦桟用金具であることからネジを１本しか螺着することができず、必要強度が得られないという問題点があった。【０００５】  また、上記ベルト式の家具転倒防止具におけるベルト締着機構がワニ口式であるあることから、一度締着するとワニ口の歯がベルトに食いついてしまい、ベルトを緩めたり増し締めすることが容易にできないという問題点もあった。【０００６】  本考案は、上記問題点を解決するために成されたものであり、ベルト式の家具転倒防止具において当該家具転倒防止具の壁側の固定金具を縦桟及び横桟のどちらにも取り付けることができ、更にはベルトを緩めたり増し締めすることが容易にできる、ベルト式の家具転倒防止具を提供することを目的とする。
【課題を解決するための手段】
【０００７】  上記課題を解決するため、本考案の家具転倒防止具においては、ベルトの両端部に具備した固定金具において、壁側の固定金具に縦桟用として縦方向に固定穴を２個以上穿孔し、横桟用として横方向に固定穴を２個以上穿孔する。また、該固定金具の縦方向端部に形成した保持筒にフランスカンを蝶着し、該フランスカンの縦枠に挿着されたローレット軸にベルトを巻き通すことにより家具側の固定金具と壁側の固定金具を当該ベルトにより張設する。
【考案の効果】
【０００８】  本考案の家具転倒防止具を用いてタンスや食器棚等の家具と壁とを固定するようにすれば、壁に縦桟又は横桟のどちらかがある場合において２本以上のネジで固定金具を固定することができる。また、壁に桟が無い場合においても横木を横設することにより横桟用の固定穴にて２本以上のネジで固定金具を固定することができるため、何れの場合にも十分な強度を得ることができるという効果を奏する。更に、ベルト締着機構をローレット軸を挿着したフランスカンとしたため、歯がベルトに食いつくこともなくベルトを緩めたり増し締めすることが容易にでき、ベルトの張設が確実に行えるという効果も奏する。
【考案を実施するための最良の形態】
【０００９】  本考案を実施するための最良の形態を図を用いて説明する。【００１０】  図１は本考案の家具転倒防止具における壁側の固定金具の外形図であり、（ａ）は正面図，（ｂ）は側面図である。壁側の固定金具１の平板部において、縦桟用の固定穴２ａを２個以上穿孔し、横桟用の固定穴２ｂを２個以上穿孔する。また、縦桟用の固定穴２ａと同一方向端部に保持筒３を形成し、フランスカン４を蝶着する。該フランスカン４の縦枠にはローレット加工されたローレット軸５が挿着される。また、フランスカン４のローレット軸５にベルト６を巻き通す場合には、図中矢印ａ方向よりベルト６の先端をフランスカン４内に通し、更にローレット軸５に巻き、図中矢印ｂ方向に戻すことにより行える。【００１１】  また、図２は本考案の家具転倒防止具における家具側の固定金具の外形図であり、（ａ）は正面図，（ｂ）は側面図である。家具側の固定金具７の平板部においては、任意な位置に固定穴８を２個以上穿孔する。また、ベルト６の保持側端部に傾斜部９を形成し、該傾斜部９に保持孔１０を穿孔する。そして、該保持孔１０にベルト６を挿通して折り返し、ベルト６の端部を縫合することにより固定金具７にベルト６を装着する。
【実施例】
【００１２】  本考案の実施例を図を用いて説明する。【００１３】  図３は本考案の家具転倒防止具における壁側の固定金具の使用例であり、（ａ）は縦桟に固定金具を固定した例を示し，（ｂ）は横桟に固定金具を固定した例を示している。縦桟１１ａに壁側の固定金具１を固定する場合、（ａ）に示すように固定金具１の縦方向に穿孔された固定穴２ａにネジ１２を通して螺着することにより行える。また、横桟１１ｂに壁側の固定金具１を固定する場合、（ｂ）に示すように固定金具１の横方向に穿孔された固定穴２ｂにネジ１２を通して螺着することにより行える。なお、図３では縦桟１１ａや横桟１１ｂ共に２個のネジ１２で固定金具１を固定しており、２個以上のネジ１２で固定することにより十分な強度を得ることができる。【００１４】  また、図４は本考案の家具転倒防止具の使用例であり、家具１４を横桟１１ｂのある壁１５に固定する場合の側面図を示している。この場合、壁１５の上部にある横桟１１ｂに上述の方法により固定金具１をネジ１２により固定する。更に家具１４の天板前部に家具側の固定金具７をネジ１２により固定する。次に、該家具側の固定金具７に装着されたベルト６を、壁側の固定金具１に蝶着されたフランスカン４のローレット軸５に巻き通して引っ張ることにより家具１４が壁１５に固定される。なお、ベルト６が長い場合には、該ベルト６にベルト止め１３を配設してベルト６の先端部付近を止めておくと良い。【００１５】  上記状態において、ベルト６を緩める場合にはフランスカン４のローレット軸５を上方すなわち壁側の固定金具１の方向に引き上げることにより容易に緩み、増し締めをする場合にはベルト６の先端側を単に引っ張るだけで容易にできる。
【産業上の利用可能性】
【００１６】  上記説明においては、タンスや食器棚等の家具を対象に説明したが、家具以外に電気冷蔵庫等の大型家電製品，ピアノ等の楽器，ＡＶ機器等にも応用して利用することが可能である。
【図面の簡単な説明】
【００１７】
【図１】本考案の家具転倒防止具における壁側の固定金具の外形図である。
【図２】本考案の家具転倒防止具における家具側の固定金具の外形図である。
【図３】本考案の家具転倒防止具における壁側の固定金具の使用例である。
【図４】本考案の家具転倒防止具の使用例である。
【符号の説明】
【００１８】１  固定金具
２  固定穴
３  保持筒
４  フランスカン
５  ローレット軸
６  ベルト
７  固定金具
８  固定穴
９  傾斜部
１０  保持孔
１１  桟
１２  ネジ
１３  ベルト止め
１４  家具
１５  壁
【図１】
0003105435.tif 000003
【図２】
0003105435.tif 000004
【図３】
0003105435.tif 000005
【図４】
0003105435.tif 000006